(57)【要約】【課題】各種電子機器に用いられるタッチパネルに関し、視認性が良好で操作の行い易いものを提供することを目的とする。【解決手段】上基板１の下面外周に形成された略額縁状の上スペーサ５と、下基板２の上面外周に形成された略額縁状の下スペーサ６の間に形成された接着層９を、上下スペーサの外方に偏心形成することによって、高温下や温度差の激しい状態で使用された際、熱収縮によって生じる上基板１の反りを、上下スペーサの外方に偏心形成された接着層９が抑制し、上基板１を元の状態に戻そうとする力がはたらいて、反りを防ぎニュートンリングの発生を防止するため、タッチパネル背面の表示素子の視認が妨げられることなく、視認性が良好で操作の行い易いタッチパネルを得ることができる。【選択図】図１
2008282123.tif 000002
【特許請求の範囲】
【請求項１】
下面に上導電層が形成された上基板と、上面に上記上導電層と所定の間隙を空けて対向する下導電層が形成された下基板と、上記上基板の下面外周に形成された略額縁状の上スペーサと、上記下基板の上面外周に形成された略額縁状の下スペーサと、上記上スペーサと下スペーサの間に形成された接着層からなり、上記接着層を上記上下スペーサの外方に偏心させて形成したタッチパネル。
【発明の詳細な説明】
【技術分野】
【０００１】
本発明は、主に各種電子機器の操作に用いられるタッチパネルに関するものである。
【背景技術】
【０００２】
近年、携帯電話やカーナビ等の各種電子機器の高機能化や多様化が進むに伴い、液晶等の表示素子の前面に光透過性のタッチパネルを装着し、このタッチパネルを通して背面の表示素子の表示を視認しながら、指やペン等でタッチパネルを押圧操作することによって、機器の各機能の切換えを行うものが増えており、視認性に優れ操作の確実なものが求められている。
【０００３】
このような従来のタッチパネルについて、図３及び図４を用いて説明する。
【０００４】
なお、構成を判り易くするために、図面は厚さ方向の寸法を拡大して表している。
【０００５】
図３は従来のタッチパネルの断面図であり、同図において、１は光透過性の上基板、２は同じく光透過性の下基板で、上基板１の下面には酸化インジウム錫等の光透過性の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は上基板１の下面外周に形成された略額縁状で絶縁樹脂製の上スペーサ、６は同じく下基板２の上面外周に形成された略額縁状の下スペーサで、この上スペーサ５下面または下スペーサ６上面に塗布形成された接着層７によって、上基板１と下基板２の外周が貼り合わされ、上導電層３と下導電層４が所定の間隙を空けて対向して、タッチパネルが構成されている。
【０００８】
そして、このように構成されたタッチパネルが、液晶等の表示素子の前面に配置されて電子機器に装着されると共に、一対の上電極と下電極が機器の電子回路（図示せず）に接続される。
【０００９】
以上の構成において、タッチパネル背面の表示素子の表示に応じて、上基板１上面を、指或いはペン等で押圧操作すると、上基板１が撓み、押圧された箇所の上導電層３が下導電層４に接触する。
【００１０】
そして、電子回路から上電極と下電極へ順次電圧が印加され、これらの電極間の電圧比によって、押圧された箇所を電子回路が検出し、機器の様々な機能の切換えが行われる。
【００１１】
なお、このようなタッチパネルが、直射日光下や自動車内等の、特に高い温度下や昼夜の温度差の激しい状態で使用された場合、図４の断面図に示すように、上基板１に熱収縮によって下方向への反りが生じ、上スペーサ５と下スペーサ６の間に塗布形成された接着層７の内側は圧縮され、外側は伸びて剥離した状態となる。
【００１２】
そして、このような上基板１の反りによって、太陽光や灯火等の外部光が環状の干渉縞に反射する、いわゆるニュートンリングが発生すると、このニュートンリングによって、タッチパネル背面の表示素子の表示が見づらくなってしまう場合があるものであった。
【００１３】
なお、この出願の発明に関連する先行技術文献情報としては、例えば、特許文献１が知られている。
【特許文献１】特開２００５−１４１５４７号公報
【発明の開示】
【発明が解決しようとする課題】
【００１４】
しかしながら、上記従来のタッチパネルにおいては、特に高温下や温度差の激しい状態で使用された場合、熱収縮によって上基板１に下方向への反りが生じ、環状の光の干渉縞、いわゆるニュートンリングが発生して、タッチパネル背面の表示素子の表示が見づらくなってしまう場合があるという課題があった。
【００１５】
本発明は、このような従来の課題を解決するものであり、上基板へのニュートンリングの発生を防ぎ、視認性が良好で操作の行い易いタッチパネルを提供することを目的とする。
【課題を解決するための手段】
【００１６】
上記目的を達成するために本発明は、上基板の下面外周に形成された略額縁状の上スペーサと、下基板の上面外周に形成された略額縁状の下スペーサの間に形成された接着層を、上下スペーサの外方に偏心形成してタッチパネルを構成したものであり、高温下や温度差の激しい状態で使用された際、熱収縮によって生じる上基板の反りを、上下スペーサの外方に偏心形成された接着層が抑制し、上基板を元の状態に戻そうとする力がはたらいて、反りを防ぎニュートンリングの発生を防止するため、タッチパネル背面の表示素子の視認が妨げられることなく、視認性が良好で操作の行い易いタッチパネルを得ることができるという作用を有するものである。
【発明の効果】
【００１７】
以上のように本発明によれば、視認性が良好で操作の行い易いタッチパネルを実現することができるという有利な効果が得られる。
【発明を実施するための最良の形態】
【００１８】
以下、本発明の実施の形態について、図１及び図２を用いて説明する。
【００１９】
なお、構成を判り易くするために、図面は厚さ方向の寸法を拡大して表している。
【００２０】
また、背景技術の項で説明した構成と同一構成の部分には同一符号を付して、詳細な説明を簡略化する。
【００２１】
（実施の形態）
図１は本発明の一実施の形態によるタッチパネルの断面図であり、同図において、１はポリエーテルサルホンやポリカーボネート等の光透過性の上基板、２はガラスまたはアクリル、ポリカーボネート等の光透過性の下基板で、上基板１の下面には酸化インジウム錫や酸化錫等の光透過性の上導電層３が、下基板２の上面には同じく下導電層４が、スパッタ法等によって各々形成されている。
【００２２】
そして、下導電層４の上面にはエポキシやシリコン等の絶縁樹脂によって複数のドットスペーサ（図示せず）が所定間隔で形成されると共に、上導電層３の両端には銀やカーボン等の一対の上電極（図示せず）が、下導電層４の両端には、上電極とは直交方向の一対の下電極（図示せず）が各々形成されている。
【００２３】
また、５は略額縁状でエポキシやポリエステル等の絶縁樹脂製の上スペーサ、６は同じく略額縁状の下スペーサで、上スペーサ５が上基板１の下面外周に、下スペーサ６が下基板２の上面外周に形成されると共に、この上スペーサ５下面または下スペーサ６上面には、アクリルやシリコン、ウレタンゴム等の絶縁樹脂製の接着層９が、外方に偏心されて塗布形成されている。
【００２４】
さらに、この上スペーサ５と下スペーサ６の間の、中心から外方に偏心されて塗布形成された接着層９によって、上基板１と下基板２の外周が貼り合わされ、上導電層３と下導電層４が所定の間隙を空けて対向して、タッチパネルが構成されている。
【００２５】
そして、このように構成されたタッチパネルが、液晶等の表示素子の前面に配置されて電子機器に装着されると共に、一対の上電極と下電極が機器の電子回路（図示せず）に接続される。
【００２６】
以上の構成において、タッチパネル背面の表示素子の表示に応じて、上基板１上面を、指或いはペン等で押圧操作すると、上基板１が撓み、押圧された箇所の上導電層３が下導電層４に接触する。
【００２７】
そして、電子回路から上電極と下電極へ順次電圧が印加され、これらの電極間の電圧比によって、押圧された箇所を電子回路が検出し、機器の様々な機能の切換えが行われる。
【００２８】
なお、このようなタッチパネルが、直射日光下や自動車内等の、特に高い温度下や昼夜の温度差の激しい状態で使用された場合、図２の断面図に示すように、上基板１は熱収縮によって下方向へ反ろうとするが、上スペーサ５と下スペーサ６の間の接着層９が外方に偏心して塗布形成されているため、この接着層９によって上基板１の反りが抑制される。
【００２９】
また、多少の反りが生じた場合でも、外方に偏心形成された接着層９の復元力によって、上基板１を元の状態に戻そうとする力がはたらくため、一旦下方向へ反った上基板１も、図１に示したほぼ元の状態に復元する。
【００３０】
つまり、上スペーサ５と下スペーサ６の間に形成された接着層９を、各スペーサの幅方向の外方に偏心形成することによって、熱収縮による上基板１の反りを接着層９が抑制し、上基板１を元の状態に戻す力がはたらくように構成されている。
【００３１】
したがって、上基板１に反りにより太陽光や灯火等の外部光が環状の干渉縞に反射する、いわゆるニュートンリングが生じることはなく、これによってタッチパネル背面の表示素子の視認が妨げられることがないため、良好な視認性が得られ、タッチパネルの操作が行い易いようになっている。
【００３２】
なお、上スペーサ５や下スペーサ６は、一般に２〜５ｍｍ前後の幅寸法に形成されることが多いため、上スペーサ５や下スペーサ６内側の０．５〜２ｍｍ前後には接着層９を形成せず、これらの外方に偏心させて接着層９を形成することが好ましく、さらには、上スペーサ５や下スペーサ６の幅の中心近傍から外方に偏心して形成すれば、より確実な上基板１の反り防止を行うことができる。
【００３３】
このように本実施の形態によれば、上基板１の下面外周に形成された略額縁状の上スペーサ５と、下基板２の上面外周に形成された略額縁状の下スペーサ６の間に形成された接着層９を、上下スペーサの外方に偏心形成することによって、高温下や温度差の激しい状態で使用された際、熱収縮によって生じる上基板１の反りを、上下スペーサの外方に偏心形成された接着層９が抑制し、上基板１を元の状態に戻そうとする力がはたらいて、反りを防ぎニュートンリングの発生を防止するため、タッチパネル背面の表示素子の視認が妨げられることなく、視認性が良好で操作の行い易いタッチパネルを得ることができるものである。
【産業上の利用可能性】
【００３４】
本発明によるタッチパネルは、視認性が良好で操作の行い易いものを得ることができるという有利な効果を有し、各種電子機器の操作用として有用である。
【図面の簡単な説明】
【００３５】
【図１】本発明の一実施の形態によるタッチパネルの断面図
【図２】同断面図
【図３】従来のタッチパネルの断面図
【図４】同断面図
【符号の説明】
【００３６】
１  上基板
２  下基板
３  上導電層
４  下導電層
５  上スペーサ
６  下スペーサ
９  接着層
【図１】
2008282123.tif 000003
【図２】
2008282123.tif 000004
【図３】
2008282123.tif 000005
【図４】
2008282123.tif 000006